(57)【要約】      （修正有）【課題】人体にマッサージ効果を提供すると共に、弾力性帯にて身体の各部位に適用される導電性シリコーン付きマッサージ具を提供する。【解決手段】マッサージ本体１１と、電流制御器１２と、弾力性帯１３とを有し、該マッサージ本体は、一側に第１金属係合部を有する軟性プレートである電流制御器収容部１１１と、該第１金属係合部と相対する該電流制御器の一側に設け、その上縁と下縁が夫々該電流制御器収容部の上縁と下縁に連接し、電流制御器収容部との間に両側に開口する収容空間が形成し、該電流制御器収容部と相対する一側に導電性シリコーンシートを有する身体接触部１１２と、該第１金属係合部と該導電性シリコーンシートと連通する導電コードを有する導電ユニットとを備え、該電流制御器は、該第１金属係合部と着脱可能に設ける第１係合孔を有し、該弾力性帯は、該身体接触部の開口を介して該収容空間内に設置し、その両側に互いに結合する可能な結合部１３１を設ける。【選択図】図３
0003157090.tif 000002
【実用新案登録請求の範囲】
【請求項１】
少なくとも一つのマッサージ本体と、少なくとも一つの電流制御器と、弾力性帯とを有し、
該マッサージ本体は、一側に少なくとも二つの第１金属係合部を有する軟性プレートである電流制御器収容部と、該第１金属係合部と相対する該電流制御器の一側に設けられ、その上縁と下縁が夫々該電流制御器収容部の上縁と下縁に連接されることにより、電流制御器収容部との間に両側に開口する収容空間が形成され、該電流制御器収容部と相対する一側に少なくとも二つの導電性シリコーンシートを有する身体接触部と、該第１金属係合部と該導電性シリコーンシートと連通する少なくとも２本の導電コードを有する導電ユニットとを備え、
該電流制御器は、該第１金属係合部と着脱可能に設けられる少なくとも二つの第１係合孔を有し、
該弾力性帯は、該身体接触部の開口を介して該収容空間内に設置され、その両側に互いに結合可能な結合部が設けられることを特徴とする導電性シリコーン付きマッサージ具。
【請求項２】
前記電流制御器と相対する身体接触部の一側に、更に複数の第２係合孔が形成されることを特徴とする請求項１に記載の導電性シリコーン付きマッサージ具。
【請求項３】
前記導電性シリコーンシートは、該第２係合孔と対応する少なくとも二つの第２金属係合部を有すると共に、着脱可能に該電流制御器と相対する身体接触部の一側に設けられることを特徴とする請求項２に記載の導電性シリコーン付きマッサージ具。
【請求項４】
更に軟性プレートである補助マッサージ具を備え、その一側に少なくとも二つの第３金属係合部が設けられ、他側に少なくとも二つの導電性シリコーンシートが設けられ、該第３金属係合部と導電性シリコーンシートは少なくとも２本の導電コードによって連結され、該第３金属係合部側の両端に結合部が設けられることを特徴とする請求項１に記載の導電性シリコーン付きマッサージ具。
【請求項５】
更に補助弾力性帯を備え、その両側に互いに結合可能な結合部が設けられることを特徴とする請求項４に記載の導電性シリコーン付きマッサージ具。
【請求項６】
前記結合部は面ファスナーであることを特徴とする請求項１ないし５の何れかに記載の導電性シリコーン付きマッサージ具。
【請求項７】
前記マッサージ本体は、更に該身体接触部と導電性シリコーンシートとの間に設けられる絶縁ゴムシートを有することを特徴とする請求項１に記載の導電性シリコーン付きマッサージ具。
【請求項８】
前記補助マッサージ具は、更に該軟性プレートと導電性シリコーンシートとの間に設けられる絶縁ゴムシートを有することを特徴とする請求項４又は５に記載の導電性シリコーン付きマッサージ具。
【考案の詳細な説明】
【技術分野】
【０００１】
本考案は、特に電流制御器と導電性シリコーンシートを採用することによって人体にマッサージ効果を提供すると共に、弾力性帯にて身体の各部位に適用される導電性シリコーン付きマッサージ具に関するものである。
【背景技術】
【０００２】
工業・商業の進展に伴い、国民の所得と生活の水準が明らかに向上するが、人々にとって生活のストレスも増加してしまう。従って、マッサージによるストレス解消の要求が増大している。
マッサージ師を通じて身体の各部位（例えば、頭、肩、首又は四肢）をマッサージすることにより、筋肉痛の解消や血液の循環、ストレスの解消など効果が達成される。
【０００３】
マッサージの提供は、マッサージ師の他、市販の低周波マッサージ具でも達成できる。当該低周波マッサージ具は、電極シートを人体の肌に貼ると共に、電力コードを介して該電極シートと本体を電気接続する。該本体から電力コードと電極シートを介して電流を伝送することにより、人体の筋肉を刺激すると共に、マッサージ効果を達成する。
こうすると、外出しなくても、家でマッサージを受ける効果を達成できる。また、このような低周波マッサージ具は、よく使用されるものであるため、特に特許文献や非特許文献に記載されていない。
【考案の概要】
【考案が解決しようとする課題】
【０００４】
しかしながら、前記低周波マッサージ具の使用部品は多く、数少ない電極シートにてマッサージしようとする身体の部位に貼り、且つ、各電極シートに一本の電力コードを接続しなければならないので、使用上非常に不便である。
更に、当該電極シートは粘着性を有することで人体の肌に貼りつく。使用者はアレルギー体質であれば、その電極シートの粘着性物質に対してアレルギー反応を発生してしまう可能性がある。
【０００５】
更に、他の導電マッサージ帯を有し、当該導電マッサージ帯は帯状の構造を有し、その上に電流を流通する線路が設けられ、電流が人体に流通することによってマッサージ効果を得るが、このような製品の欠点は、ある部分の線路が損壊すれば、全体の線路が故障してしまうので、当該導電マッサージ帯は使えないことになってしまう。
【０００６】
故に、人々が外出しない状態で、家でストレス解消やマッサージ効果が達成でき、更に簡単で便利に使用することができるマッサージ装置が関連製造メーカーの研究開発の目標である。
【０００７】
そこで、案出されたのが本考案であって、電流制御器と導電性シリコーンシートを採用することによって人体にマッサージ効果を提供すると共に、弾力性帯にて身体の各部位に適用される導電性シリコーン付きマッサージ具を提供することを目的としている。
【課題を解決するための手段】
【０００８】
本願の請求項１の考案は、少なくとも一つのマッサージ本体と、少なくとも一つの電流制御器と、弾力性帯とを有し、該マッサージ本体は、一側に少なくとも二つの第１金属係合部を有する軟性プレートである電流制御器収容部と、該第１金属係合部と相対する該電流制御器の一側に設けられ、その上縁と下縁が夫々該電流制御器収容部の上縁と下縁に連接されることにより、電流制御器収容部との間に両側に開口する収容空間が形成され、該電流制御器収容部と相対する一側に少なくとも二つの導電性シリコーンシートを有する身体接触部と、該第１金属係合部と該導電性シリコーンシートと連通する少なくとも２本の導電コードを有する導電ユニットとを備え、該電流制御器は、該第１金属係合部と着脱可能に設けられる少なくとも二つの第１係合孔を有し、該弾力性帯は、該身体接触部の開口を介して該収容空間内に設置され、その両側に互いに結合する可能な結合部が設けられることを特徴とする導電性シリコーン付きマッサージ具、を提供する。
【０００９】
本願の請求項２の考案は、前記電流制御器と相対する身体接触部の一側に、更に複数の第２係合孔が形成されることを特徴とする請求項１に記載の導電性シリコーン付きマッサージ具、を提供する。
【００１０】
本願の請求項３の考案は、前記導電性シリコーンシートは、該第２係合孔と対応する少なくとも二つの第２金属係合部を有すると共に、着脱可能に該電流制御器と相対する身体接触部の一側に設けられることを特徴とする請求項２に記載の導電性シリコーン付きマッサージ具、を提供する。
【００１１】
本願の請求項４の考案は、更に軟性プレートである補助マッサージ具を備え、その一側に少なくとも二つの第３金属係合部が設けられ、他側に少なくとも二つの導電性シリコーンシートが設けられ、該第３金属係合部と導電性シリコーンシートは少なくとも２本の導電コードによって連結され、該第３金属係合部側の両端に結合部が設けられることを特徴とする請求項１に記載の導電性シリコーン付きマッサージ具、を提供する。
【００１２】
本願の請求項５の考案は、更に補助弾力性帯を備え、その両側に互いに結合可能な結合部が設けられることを特徴とする請求項４に記載の導電性シリコーン付きマッサージ具、を提供する。
【００１３】
本願の請求項６の考案は、前記結合部は面ファスナーであることを特徴とする請求項１ないし５の何れかに記載の導電性シリコーン付きマッサージ具、を提供する。
【００１４】
本願の請求項７の考案は、前記マッサージ本体は、更に該身体接触部と導電性シリコーンシートとの間に設けられる絶縁ゴムシートを有することを特徴とする請求項１に記載の導電性シリコーン付きマッサージ具、を提供する。
【００１５】
本願の請求項８の考案は、前記補助マッサージ具は、更に該軟性プレートと導電性シリコーンシートとの間に設けられる絶縁ゴムシートを有することを特徴とする請求項４又は５に記載の導電性シリコーン付きマッサージ具、を提供する。
【考案の効果】
【００１６】
本考案は上記の課題を解決するものであり、簡単で便利にマッサージを得るマッサージ具を提供し、使用者は面倒な準備作業を要らず、マッサージを行うことができ、また、本考案の一部の部件が損壊しても、他の部品を使用し続けることができるので、非常に便利である。
【図面の簡単な説明】
【００１７】
【図１】本考案に係る第１実施例におけるマッサージ本体、電流制御器及び導電性シリコーンシートの結合状態を示す斜視図である。
【図２】本考案に係る第１実施例におけるマッサージ本体及び電流制御器を示す分解斜視図である。
【図３】本考案に係る第１実施例におけるマッサージ本体、電流制御器及び弾力性帯の結合状態を示す斜視図である。
【図４】本考案に係る第２実施例におけるマッサージ本体、電流制御器及び導電性シリコーンシートの組み合わせ状態を示す斜視図である。
【図５】本考案に係る第２実施例におけるマッサージ本体、電流制御器及び導電性シリコーンシートを分解斜視図である。
【図６】本考案に係る第１実施例と第２実施例のマッサージ本体を弾力性帯に設置する状態を示す参考図である。
【図７】本考案に係る第１実施例と第２実施例と共に使用する状態を示す参考図である。
【図８】本考案に係る第１実施例と第２実施例と共に使用するほかの状態を示す参考図である。
【図９】本考案に係る補助マッサージ具、電流制御器及び弾力性帯の組み合わせ状態を示す斜視図である。
【図１０】本考案に係る補助マッサージ具、電流制御器及び弾力性帯の使用状態を示す参考図である。
【考案を実施するための形態】
【００１８】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【００１９】
図１及び図３に示すように、本考案に係る導電性シリコーン付きマッサージ具の第１実施例は、少なくとも一つのマッサージ本体（１１）と、少なくとも一つの電流制御器（１２）と、弾力性帯（１３）とを有し、該マッサージ本体（１１）は、一側に少なくとも二つの第１金属係合部（１１１１）を有する軟性プレートである電流制御器収容部（１１１）と、該第１金属係合部（１１１１）と相対する該電流制御器（１１１）の一側に設けられ、その上縁と下縁が夫々該電流制御器収容部（１１１）の上縁と下縁に連接されることにより、電流制御器収容部（１１１）との間に両側に開口する収容空間が形成され、該電流制御器収容部（１１１）と相対する一側に少なくとも二つの導電性シリコーンシート（１１２１）を有する身体接触部（１１２）と、該第１金属係合部（１１１１）と該導電性シリコーンシート（１１２１）と連通する少なくとも２本の導電コードを有する導電ユニット（１１３）とを備え、該電流制御器（１２）は、該第１金属係合部（１１１１）と着脱可能に設けられる少なくとも二つの第１係合孔（１２１）を有し、該弾力性帯（１３）は、該身体接触部（１１２）の開口を介して該収容空間内に設置され、その両側に互いに結合する可能な結合部（１３１）が設けられる。
【００２０】
前記マッサージ本体（１１）は、更に絶縁ゴムシート（図面なし）を備え、該絶縁ゴムシートは、該身体接触部（１１２）と導電性シリコーンシート（１１２１）との間に設けられることにより、その二つの導電性シリコーンシート（１１２１）同士の導電というショート現象を防止する。
【００２１】
図５及び図６に示すように、本考案に係るマッサージ本体（１１）のほかの実施態様は、本考案の第２実施例である。本実施例は、該電流制御器収容部（１１１）と相対する身体接触部（１１２）の一側に複数の第２係合孔（１１２２）が形成され、導電性シリコーンシート（１１２１）は、該第２係合孔（１１２２）と対応する少なくとも二つの第２金属係合部（１１２１１）を有すると共に、着脱可能に該電流制御器（１１１）と相対する身体接触部（１１２）の一側に設けられる。
【００２２】
図９に示すように、本考案に係る導電性シリコーン付きマッサージ具は、更に軟性プレートである補助マッサージ具（１４）を備え、その一側に少なくとも二つの第３金属係合部（図面なし）が設けられ、他側に少なくとも二つの導電性シリコーンシート（図面なし）が設けられ、該第３金属係合部と導電性シリコーンシートは少なくとも２本の導電コード（図面なし）によって連結され、該第３金属係合部側の両端に結合部（１４１）が設けられる。
【００２３】
本考案に係る導電性シリコーン付きマッサージ具は、更に前記補助マッサージ具（１４）と対応する補助弾力性帯（１５）を備え、その両側に互いに結合可能な結合部（１５１）が設けられる。
【００２４】
なお、前記補助マッサージ具（１４）は、更に該軟性プレートと導電性シリコーンシートとの間に設けられる絶縁ゴムシート（図面なし）を備え、該絶縁ゴムシートは、前記マッサージ本体（１１）の絶縁ゴムシートと同じように、補助マッサージ具（１４）における二つの導電性シリコーンシート同士の導電というショート現象を防止する。
【００２５】
図１ないし図５に示すように、本考案に係る導電性シリコーン付きマッサージ具を使用してマッサージを行う際、先ず第１係合孔（１２１）と第１金属係合部とを係合することにより、該電流制御器（１２）を該マッサージ本体（１１）の電流制御器収容部（１１１）に設置する。
【００２６】
次に、該開口を経由して該弾力性帯（１３）が該電流制御器収容部（１１１）と身体接触部（１１２）との間における収容空間を貫通し、使用者の使用状態によって該弾力性帯（１３）を調整し、その対応する結合部（１３１）により、該マッサージ本体（１１）と電流制御器（１２）をマッサージしようとする部位に固定する。
【００２７】
最後に、該電流制御器（１２）を起動し、希望の電流の大きさとマッサージモジュールを調整した後、該導電性シリコーンシート（１１２１）は、該第１金属係合部（１１１１）と導電ユニット（１１３）の伝導を介して電流制御器（１２）からの電流を受けることにより、該導電性シリコーンシート（１１２１）と接触する身体の部位にマッサージ効果を提供する。
【００２８】
また、前記の使用方式の他、本考案の第１実施例と第２実施例とを合わせて使用してもよい。以下に示す図５ないし図８を参照しながら説明する。
【００２９】
使用者は、電流制御器（１２）を設置した第１と第２実施例のマッサージ本体（１１）が該弾力性帯（１３）に設けられ、使用状態によって該弾力性帯（１３）を調整し、該弾力性帯（１３）の両端における結合部（１３１）を結合することにより、腰部に本考案を使用する場合、該第１実施例のマッサージ本体（１１）が使用者の腹部に位置し、該第２実施例のマッサージ本体（１１）が使用者の腰部の後ろに位置し、該電流制御器（１２）を起動すると、電流が該導電性シリコーンシート（１１２１）を介して人体の筋肉に伝送することにより、マッサージを行う。
【００３０】
更に、第２実施例における導電性シリコーンシート（１１２１）同士の距離は、第１実施例における導電性シリコーンシート（１１２１）同士の距離より長く、腰部の後ろに対してより良いマッサージ効果を提供することができる。
【００３１】
また、一本の弾力性帯（１３）と電流制御器（１２）を有するマッサージ本体（１１）と組み合わせる使用方式は、マッサージ領域を拡大するだけではなく、従来の製品と比べて、その中のマッサージ本体（１１）や電流制御器（１２）が故障しても、他のマッサージ本体（１１）や電流制御器（１２）にてマッサージを続けることができ、非常に便利である。
【００３２】
図１、図９及び図１０に示すように、本考案に係る導電性シリコーン付きマッサージ具における補助マッサージ具（１４）は、使用者のアームや大腿などの部位に適用し、該電流制御器（１２）の第１係合孔（１２１）が該補助マッサージ具（１４）の第３金属係合部と結合することにより、該電流制御器（１２）を該補助マッサージ具（１４）に設置し、更に、該補助弾力性帯（１５）の結合部（１５１）と該補助マッサージ具（１４）の結合部（１４１）とを結合することにより、使用者のアームや大腿などの部位にマッサージ効果を提供できる。
なお、前記結合部（１３１、１４１、１５１）は、全て面ファスナーである。
【産業上の利用可能性】
【００３３】
本考案は上記の構成を有するので、簡単で便利にマッサージを得るマッサージ具を提供し、使用者は面倒な準備作業を要らず、マッサージを行うことができる。また、本考案の一部の部件が損壊しても、他の部品を使用し続けることができるので、非常に便利である。
【符号の説明】
【００３４】
１１        マッサージ本体
１１１      電流制御器収容部
１１１１    第１金属係合部
１１２      身体接触部
１１２１    導電性シリコーンシート
１１２１１  第２金属係合部
１１２２    第２係合孔
１２        電流制御器
１２１      第１係合孔
１３        弾力性帯
１３１      結合部
１４        補助マッサージ具
１４１      結合部
１５        補助弾力性帯
１５１      結合部
【図１】
0003157090.tif 000003
【図２】
0003157090.tif 000004
【図３】
0003157090.tif 000005
【図４】
0003157090.tif 000006
【図５】
0003157090.tif 000007
【図６】
0003157090.tif 000008
【図７】
0003157090.tif 000009
【図８】
0003157090.tif 000010
【図９】
0003157090.tif 000011
【図１０】
0003157090.tif 000012